(57)【特許請求の範囲】
【請求項１】
机天板と、この机天板を支持する横梁及び複数の脚支柱と、前記各脚支柱と机天板と前記横梁とを連結するための連結体とが備えられている構成であって、
前記各脚支柱は上向きに開口した筒部を有する一方、
前記各連結体は基部ブロックを有しており、前記基部ブロックには、前記横梁の端部を連結する水平アーム部と、前記脚支柱の上面に重なる上部支持部と、前記脚支柱の外側面に外側から重なる側部支持部とを一体的に備えており、前記上部支持部をネジで脚支柱の上面に固定し、前記側部支持部はネジで前記脚支柱の外側面に固定しており、更に、前記連結体の側部支持部と前記脚支柱との間にスペーサ体を介挿している、
机。
【請求項２】
前記各脚支柱の筒部には、前記連結体の上部支持部を固定するネジがねじ込まれる係合突条部が一体的に形成されていると共に、上下に長い補強部材が挿入されており、前記連結体の側部支持部に貫通した横長のネジを前記補強部材にねじ込むことにより、前記側部支持部を脚支柱に固定している、
請求項１に記載の机。
【請求項３】
前記連結体の基部ブロックには、前記脚支柱の筒部に上から嵌合する位置決めブロックが一体的に突出形成されている、
請求項１または２に記載の机。
【請求項４】
前記連結体の基部ブロックには、机天板の下面にネジにて固定される補助水平アーム部が一体的に形成されている、
請求項１乃至３のいずれかに記載の机。
【発明の詳細な説明】
【技術分野】
【０００１】
本発明は、事務等に使用される机に関するものである。
【背景技術】
【０００２】
この種の机の構造として、例えば、特許文献１には、机天板の下面のうち四隅を、脚支柱の上端面に取付けたコーナブロックを介して支持すると共に、各脚支柱のコーナブロックには平面視で９０度方向に延びる水平挿入杆を一体的に形成し、この水平挿入杆にアルミ押出材からなる横梁の端部を挿入して後、止着具（ボルト）にて水平挿入杆と横梁とを固定し、この横梁側を机天板の下面に止着具（ボルト）にて固定することが開示されている。
【０００３】
その場合、亜鉛ダイカスト製のコーナブロックには、アルミ押出材からなる脚支柱の中空状の筒に嵌まる鉛直挿入杆が一体的に設けられており、横方向の止着具（ボルト）にて脚支柱の側壁と鉛直挿入杆とをネジ止めすることで、コーナブロックを抜け不能に固定したものである。
【特許文献１】特公平０７−４９０１２号公報
【発明の開示】
【発明が解決しようとする課題】
【０００４】
しかしながら、前記特許文献１に開示の机では、脚支柱の上端面とコーナブロックとを垂直姿勢のネジで固定していないから、机天板に水平荷重等の側方荷重が作用したとき、机天板の下面と脚支柱の上端面との間が開くように脚支柱の上端が撓み易くなり、側方荷重に対する抵抗力（コーナブロックと脚支柱との固定強度）が弱いという問題があった。
【０００５】
本発明は、上記の従来の問題を解消することを技術的課題とするものである。
【課題を解決するための手段】
【０００６】
上記の技術的課題を達成するため、請求項１に記載の発明は、机天板と、この机天板を支持する横梁及び複数の脚支柱と、前記各脚支柱と机天板と前記横梁とを連結するための連結体とが備えられている構成において、前記各脚支柱は上向きに開口した筒部を有する一方、前記各連結体は基部ブロックを有しており、前記基部ブロックには、前記横梁の端部を連結する水平アーム部と、前記脚支柱の上面に重なる上部支持部と、前記脚支柱の外側面に外側から重なる側部支持部とを一体的に備えており、前記上部支持部をネジで脚支柱の上面に固定し、前記側部支持部はネジで前記脚支柱の外側面に固定しており、更に、前記連結体の側部支持部と前記脚支柱との間にスペーサ体を介挿している。
【０００７】
また、請求項２に記載の発明は、請求項１に記載の机において、前記各脚支柱の筒部には、前記連結体の上部支持部を固定するネジがねじ込まれる係合突条部が一体的に形成されていると共に、上下に長い補強部材が挿入されており、前記連結体の側部支持部に貫通した横長のネジを前記補強部材にねじ込むことにより、前記側部支持部を脚支柱に固定している。
【０００８】
請求項３に記載の発明は、請求項１又は２に記載の机において、前記連結体の基部ブロックには、前記脚支柱の筒部に上から嵌合する位置決めブロックが一体的に突出形成されている。
【０００９】
請求項４に記載の発明は、請求項１乃至３のいずれかに記載の机において、前記連結体の基部ブロックには、机天板の下面にネジにて固定される補助水平アーム部が一体的に形成されているものである。
【発明の効果】
【００１１】
請求項１の発明によれば、脚支柱の上端部に連結体を上面側と外面側とからネジで固定することになるので、従来の取付構造に比べて、固定（取付）強度が大幅に向上するという効果を奏する。更に、連結体の側部支持部と脚支柱との間にスペーサ体を介挿させたので、脚支柱に対する連結体の取付姿勢も一定にでき、また、側部支持部の下端側が大きく撓むことを防止して側部支持部の変形を免れることができるという効果を奏する。
【００１２】
また、請求項２に記載の発明によれば、ネジで連結体の上部支持部を脚支柱の上端面に直接強固に固定することができる。さらに、脚支柱が補強部材と前記側部支持部とで挟み付けられるので、前記側部支持部と脚支柱の側面とを直接止着具にて締着するのに比べて、取付強度が大幅に向上し、机の剛性が高まるという効果を奏する。
【００１３】
請求項３に記載の発明によれば、連結体の基部ブロックに位置決めブロックが一体的に突出形成されているので、連結体を脚支柱に取付する位置決め作業が容易になるという効果を奏する。
【００１４】
請求項４に記載の発明によれば、連結体の基部ブロックに補助水平アーム部が一体的に形成されているので、メインの水平アーム部だけで机天板を固定する場合よりも、机天板と脚支柱との固定強度が大幅に向上するという効果を奏する。
【発明を実施するための最良の形態】
【００１６】
以下、本発明の実施形態を、図面を参照しながら説明する。図１〜図１１は第１実施形態を示し、図１は机の全体正面図、図２は机の１つの隅部を示す切欠き斜視図、図３は構成部品の分解斜視図、図４は第１実施形態の連結体の平面図、図５は図４のＶ−Ｖ線矢視図、図６は連結体の斜視図、図７は一部切欠き要部拡大側断面図、図８は図７の VIII −VIII線矢視拡大断面図、図９は図５のIX−IX線矢視拡大断面図、図１０はスペーサ体の斜視図、図１１は脚支柱の下端のアジャスタ取付片を示す斜視図である。なお、図８において脚支柱の断面表示は省略している。
図１２は第２実施形態の構成部品の分解斜視図、図１３は第２実施形態の連結体、脚支柱等の分解斜視図、図１４は連結体の第２実施形態を示す正面図、図１５は連結体の平面図、図１６は連結体の一部切欠き下面図、図１７は図１６のXVII−XVII線矢視断面図、図１８連結体の取付部の側断面図、図１９は図１８のXIX −XIX 線矢視要部拡大側断面図、図２０は脚支柱と連結体の取付け状態を示す斜視図である。
【００１７】
(1).第１実施形態
まず、第１実施形態を説明する。図３に示すように、第１実施形態における机１は、平面視略矩形状の机天板２と、机天板２の下面の４隅部分を支持する脚支柱３と、机天板２を支持固定する枠体５と、各脚支柱３の上端に固定されて机天板２及び枠体を連結する連結体４とを備える。枠体５は断面が実質上矩形の中空状の横梁５ａからなる。実施形態では机天板２は木製である。
【００１８】
脚支柱３はアルミ押出材製であり、図８に示すように、各脚支柱３の外周は、平断面において１つの丸角部３ａと２つの鋭角部３ｂ，３ｂとを有する実質上三角形に形成されている。また、脚支柱３の内部は、上記２つの鋭角部３ｂ，３ｂの間を連結する仕切板部３１により、中空状の筒部３２と縦長の凹溝３３とに区画されている。そして、筒部３２における丸角部３ａ側と仕切板部３１側とには、平面視においてΩ状のビスポケット３４，３５（請求項に記載した係合突条部に相当する）が一体的に形成されている。
【００１９】
連結体４は、図４〜図７に示すように、アルミ等のダイキャスト品である。例えば図４に示すように、連結体４は基部ブロック４１を有する。基部ブロック４１は、平面視で実質上５角形に形成された底板４１ａに複数のリブ４１ｂが起立して補強された形態になっている。
【００２０】
基部ブロック４１には、脚支柱３の平面形状と実質的に同一形状（三角形）の上部支持部４２と、脚支柱３における上記鋭角部３ｂ，３ｂに当接し、且つ一部が凹溝３３に嵌まる側部支持部４３とが一体的に形成されている。そして、上部支持部４２の下面は脚支柱３の上端面（平面）にきっちりと当接できるように形成され、且つ上部支持部４２の下面には、脚支柱３における筒部３２の上端部に上方から嵌入できる位置決めブロック４４が突出形成されている。                                                              上部支持部４２は、脚支柱３における上記各ビスポケット３４，３５にねじ込まれるネジとしての六角孔付きボルト４５、ビス４６で脚支柱３に固定される。上部支持部４２には、ボルト４５、ビス４６とが上方から挿通できる取付孔４５ａ，４６ａを穿設している（図４〜図７参照）。
【００２１】
図２に示すように、連結体４における上部支持部４２の一部（脚支柱３における丸角部３ａ側）が基部ブロック４１に対して段落ちしており、従って、その段落ちした部分と机天板２の角部の下面との間に隙間ができることになる。
【００２２】
他方、例えば図６に示すように、基部ブロック４１には、平面視で上部支持部４２と反対側にて互いに９０度の向きを変えて開口するような上向き開放溝状の一対の横梁支持部（水平アーム部）４７が形成されている。そして、各水平アーム部４７には、断面中空矩形状の各横梁５ａの端部を上から嵌め入れる。各水平アーム４７の底面にはボス部４８を設けており、各横梁５ａには、ボス部４８に嵌まる丸孔（図示せず）が穿設されており、各横梁５ａをその上面側からビス（ネジ）４９にてボス部４８にネジ止め固定している。
【００２３】
基部ブロック４１には、さらに、机天板２の下面に開口する埋込みナット（鬼目ナット）５９（図７参照）に対してビス（ネジ）５１を締着するための複数のビス取付部５１ａ〜５１ｄが形成されている。
【００２４】
図５及び図９から理解できるように、連結体４の側部支持部４３には、脚支柱３の鋭角部３ｂに当接する広幅部４３ａと、凹溝３３に嵌まる狭幅部４３ｂとが一体的に形成されている。そして、広幅部４３ａの下端側には、ネジとしての横ボルト５２の軸部が挿通できる切り溝５３が形成されている。
【００２５】
連結体４には、ダイキャストに際して金型から外すために、抜きテーパーが形成されている。抜きテーパーとして、側部支持部４３においても、広幅部４３ａ及び狭幅部４３ｂの厚さが下端に行くに従って脚支柱３の側面（鋭角部３ｂ，３ｂの片面）から離れるように傾斜している。
【００２６】
例えば図８に示すように、連結体４の側部支持部４３を脚支柱３に横ボルト５２にて締着固定するに際して、脚支柱３の筒部３２内にその縦軸線方向に沿う上下長手（縦長）の平板状の補強部材５４を挿入し、横長ボルト５２を補強部材５４にねじ込んでいる。筒部３２内で縦長の補強部材５４の配置位置がビスポケット３５との間でずれないように、筒部３２内に一対の縦長の突条部３２ａが形成されている。
【００２７】
また、図９及び図１０に示すように、合成樹脂材からなるスペーサ体５５を脚支柱３の凹溝３３内に入れている。このスペーサ体５５の平板部５５ａは上側の厚さが薄く下に行くに従って厚くなるように形成されて、広幅部４３ａの内面に沿い、脚支柱３に連結体４を装着したときの横梁支持部（水平アーム部）４７の姿勢が水平となるように規制される。また、平板部５５ａの一部には、連結体４の側部支持部４３に形成した切り溝５３に摺動自在に嵌まる案内ブロック５５ｂと、横ボルト５２が貫通する挿通孔５５ｃとが形成されている。
【００２８】
図１１に示すように、脚支柱３の下端には、当該脚支柱３と同じ平断面形状の下カバー部材５６（合成樹脂材でも可能）が装着され、これにアジャスタボルト５７が高さ調節可能に取付けられている。
【００２９】
以上の構成において、机の組み立てに当たっては、予め、脚支柱３の下端に下カバー部材５６及びアジャスタボルト５７を装着した後、まず、脚支柱３の筒部３１内に補強部材５４を上から挿入する。次いで、連結体４の上部支持部４２を脚支柱３の上端から被せ、縦方向のネジであるボルト４５及びビス４６を取付孔４５ａ，４５ｂから差し込み、ボルト４５及びビス４６をビスポケット３４，３５にねじ込む。他方、連結体４における側部支持部４３の広幅部４３ａの内面を、脚支柱３の鋭角部３ｂ，３ｂに当接させ、広幅部４３ａの下方から凹溝３３内に挿入したスペーサ体５５の案内ブロック５５ｂを切り溝５３内に挿入する。次いで、横方向のネジである横ボルト５２を、スペーサ体５５に空けられた挿通孔５５ｃ及び脚支柱３に空けられた孔５８（図８参照）を介して補強部材５４のネジ孔にねじ込むものである。
【００３０】
このようにして、脚支柱３の上端部に連結体４を縦横の複数のネジ（ボルト４５、ビス４６、横ボルト５２）を介して固定することにより、従来の取付構造に比べて、固定（取付）強度が大幅に向上する。また、スペーサ体５５を脚支柱３の側面（仕切板部３１）と側部支持部４３との間に介挿することで、脚支柱３に対する連結体４の取付姿勢も一定にでき、また、側部支持部４３の下端側が脚支柱３の側面の凹溝３３内に大きく撓むことを防止して側部支持部４３の変形を免れることができる。
【００３１】
そして、連結体４における一対の水平アーム部４７に横梁５ａを被せた後、ビス４９止めし、さらに、横梁５ａの下面側及び連結体４における基部ブロック４１の下面側から机天板２にそれぞれビス止めすれば、机天板２は強固に固定されることになる。
【００３２】
(2).第２実施形態
図１２〜図２０は第２実施形態を示し、この実施形態では、左右一対の脚支柱１０の下端には、それぞれ横長の安定足１１が取付られ、各脚支柱１０の上端に連結体１２がネジで固定されている。また、連結体１２同士を横梁１３を介して連結し、連結体１２及び横梁１３と机天板２の下面とをビスにて固定するものである。各脚支柱１０はアルミ押出材であり、連結体１２及び安定足１１はアルミダイキャスト製である。
【００３３】
本実施形態における脚支柱１０は、図１９に示すように、水平断面の外形形状が実質上台形であり、長辺の左右両側に丸角部１０ａが形成され、短辺の両側に一対の鈍角部１０ｂが形成されている。そして、一対の鈍角部１０ｂの間に凹溝１４が形成されるように、仕切板部１５を設ける。また、第１仕切板部１５の両端と長辺部とを連結するように、一対の第２仕切板部１６を設ける。
これにより、一対の第２仕切板部１６の間に、平面視矩形状の筒部１７ａが形成され、各第２仕切板部１６と各丸角部１０ａとの間には平面視略三角形状の筒部１７ｂが形成される。そして、各筒部１７ｂには、各第２仕切板部１６側と各丸角部１０ａ側とにそれぞれ平面視においてΩ状のビスポケット３４′、３５′（図１９参照、請求項に記載した係合突条部に相当する）が一体的に形成されている。
【００３４】
連結体１２は、図１２〜図１７に示すように、アルミ製等のダイキャストの一体成形されたものである。連結体１２の基部ブロック１８は、図１３、図１４に示すように、平面視で実質上５角形に形成され、複数の垂直に延びるリブ１８ｂにて補強されている。
【００３５】
例えば図１３，２０に示すように、基部ブロック１８には、脚支柱１０の平面形状と実質的に同一形状（台形）の上部支持部１９と、脚支柱１０の鈍角部１０ｂ，１０ｂに当接すると共に一部が凹溝１４に嵌まる側部支持部２０と、断面中空矩形状の横梁１３の端部に嵌入する水平アーム部２１と、この水平アーム部２１に対して平面視で９０度方向に延びる補助水平アーム部２２とが一体的に形成されている。水平アーム部２１及び各補助水平アーム部２２にも複数の垂直に延びるリブが設けられて重量軽減を図りながら強度を向上させるように形成されている。
【００３６】
上部支持部１９の下面は脚支柱１０の上端面（平面）にきっちりと当接しており、且つ上部支持部１９の下面には、脚支柱１０における２つの筒部１７ｂの上端部に上方からそれぞれ嵌入できる位置決めブロック２３が突出形成されている（図１６，１７参照）。さらに、例えば図２０に示すように、上部支持部１９には、連結ボルト４５′、ビス４６′が上方から挿通できる取付孔４５ａ′，４６ａ′（合計４個）が穿設されている。
【００３７】
上部支持部１９の一部（脚支柱１０における丸角部１０ａ側）が基部ブロック１８に対して段落ちしており、従って、その段落ちした部分と机天板２の角部の下面との間に隙間ができることになる（図１８参照）。
【００３８】
他方、基部ブロック１８から突出した水平アーム部２１は断面中空矩形状であり、この水平アーム部２１の先端から断面中空矩形状の横梁１３の端部を水平方向に嵌め入れ、各横梁１３をその上面側から挿通したビス４９′にてボス部２１ａにネジ止め固定している（図１７及び図１８参照）。
【００３９】
側部支持部２０は、脚支柱１０における上記鈍角部１０ｂ，１０ｂに当接する広幅部２０ａと、凹溝１４に嵌まる狭幅部２０ｂとが一体的に形成されたものである。そして、広幅部２０ａの下端側には、ネジとしての横ボルト５２′の軸部が挿通できる切り溝５３′が形成されている（図１４、図１７及び図１９参照）。
【００４０】
そして、第１実施形態と同様に、成形に際して金型から取り外すために、連結体１２の外面には抜きテーパーが形成されており、側部支持部２０においても、広幅部２０ａ及び狭幅部２０ｂの厚さが下端に行くに従って脚支柱１０の側面（鈍角部１０ｂ，１０ｂの片面）から離れるように傾斜している。
【００４１】
そして、第１実施形態と同様の形状のスペーサ体５５（図１０参照）を、凹溝１４内に入れる。このスペーサ体５５の平板部５５ａは、上側の厚さが薄く下に行くに従って厚くなるように形成されて、広幅部４３ａの内面に沿い、脚支柱１０に連結体１２を装着したときの水平アーム部２１の姿勢が水平となるように規制される。また、平板部５５ａの一部には、切り溝５３′に摺動自在に嵌まる案内ブロック５５ｂと、横ボルト５２′のための挿通孔５５ｃとが形成されている。
【００４２】
側部支持部２０を脚支柱１０の側面に沿わせて、横ボルト５２′にて脚支柱１０に締着固定するに際して、脚支柱１０の中央の筒部１７ａ内にその縦軸線方向に沿わせて、筒部１７ａの断面と同じ断面形状の補強部材２４を挿入する（図１９参照）。
【００４３】
なお、図１３に示すように、安定足１１にも、上部支持部１９における位置決めブロック２３と同じ形状の一対の位置決めブロック２５を設けて、これを脚支柱１０の下端で筒部１７ｂに嵌入することで、安定足１１と脚支柱１０とをしっかり位置決めできる。そして、安定足１１の下面側からボルト２６を脚支柱１０のビスポケット３４′、３５′にねじ込んでいる。アジャスタボルト２７は安定足１１に対する高さ調節及び傾斜調節手段である。
【００４４】
以上の構成において、机の組み立てに当たっては、予め、脚支柱１０の下端に安定足１１及びアジャスタボルト２７を装着した後、まず、脚支柱１０の筒部１７ａ内に補強部材２４を上から挿入する。次いで、連結体１２の上部支持部１９を脚支柱１０の上端から被せ、ボルト４５′及びビス４６′を取付孔４５ａ′，４５ｂ′から差し込み、ボルト４５′及びビス４６′をビスポケット３４′、３５′にねじ込む。
他方、側部支持部２０における広幅部２０ａの内面を、一列に並んでいる鈍角部１０ｂ，１０ｂの片面に当接させ、広幅部２０ａの下方から凹溝１４内に挿入したスペーサ体５５の案内ブロック５５ｂを切り溝５３′内に挿入する。次いで、横ボルト５２′を、スペーサ体５５の挿通孔５５ｃ及び予め脚支柱１０に穿設されている孔（図１９参照）を介して補強部材２４のネジ孔にねじ込むものである。
【００４５】
このようにして、脚支柱１０の上端部に連結体１２を縦横の複数のネジ（ボルト４５′、ビス４６′、横ボルト５２′）で固定することにより、従来の取付構造に比べて、固定（取付）強度が大幅に向上する。また、スペーサ体５５を脚支柱１０の側面（第１仕切板部１５）と側部支持部２０との間に介挿することで、脚支柱１０に対する連結体１２の取付姿勢も一定にでき、また、側部支持部２０の下端側が脚支柱１０の側面の凹溝１４内に大きく撓むことを防止して側部支持部２０の変形を免れることができるという効果を奏する。
【００４６】
机天板２は、補助水平アーム部２２に設けられた複数箇所の取付孔２８ａ，２８ｂ及び横梁１３の中途部にこれと直交して延びる補助アーム２９に設けられた複数箇所の取付孔２９ａに下面側から挿通したビス３０にて固定すれば良い（図１２、図１３参照）。
【００４７】
なお、脚支柱３（１０）と机天板２の下面との間に前記連結体４（１２）における上部支持部４２（１９）の段差による大きな隙間が形成できるので、その隙間を利用して、机上への部品の取付けスタンド等の基部を固定する等の用途が発生する。
【図面の簡単な説明】
【００４８】
【図１】本発明の第１実施形態による事務用机の正面図である。
【図２】机の角部を見る一部切欠き拡大斜視図である。
【図３】机の構成部品の斜視図である。
【図４】連結体の第１実施形態を示す平面図である。
【図５】図４のＶ−Ｖ線矢視側面図である。
【図６】連結体の斜視図である。
【図７】一部切欠き要部拡大側断面図である。
【図８】図７の VIII −VIII線矢視断面図である。
【図９】図５のIX−IX線矢視拡大側断面図である。
【図１０】スペーサ体の斜視図である。
【図１１】下部カバー部材の斜視図である。
【図１２】本発明の第２実施形態による机の構成部品の斜視図である。
【図１３】第２実施形態の連結体と脚支柱と安定足とを示す分解斜視図である。
【図１４】第２実施形態の連結体の平面図である。
【図１５】連結体の正面図である。
【図１６】連結体の一部切欠き下面図である。
【図１７】図１６のXVII−XVII線矢視断面図である。
【図１８】連結部の一部切欠き側断面図である。
【図１９】図１８のXIX-XIX 線矢視拡大断面図である。
【図２０】連結部の一部切欠き斜視図である。
【符号の説明】
【００４９】
２  机天板
３，１０  脚支柱
４，１２  連結体
１１  安定足
５ａ，１３  横梁
１４，３３  凹溝
１５  第１仕切板
１７ａ，１７ｂ，３２  筒部
１８，４１  基部ブロック
１９，４２  上部支持部
２０，４３  側部支持部
２１，４７  水平アーム部
２２  補助水平アーム部
３４，３５，３４′，３５′  係合突条部としてのビスポケット
４５，４６，５２，４５′，４６′，５２′ネジとしてのボルト及びビス
５５    スペーサ体
【図１】
0004727369.tif 000002
【図２】
0004727369.tif 000003
【図３】
0004727369.tif 000004
【図４】
0004727369.tif 000005
【図５】
0004727369.tif 000006
【図６】
0004727369.tif 000007
【図７】
0004727369.tif 000008
【図８】
0004727369.tif 000009
【図９】
0004727369.tif 000010
【図１０】
0004727369.tif 000011
【図１１】
0004727369.tif 000012
【図１２】
0004727369.tif 000013
【図１３】
0004727369.tif 000014
【図１４】
0004727369.tif 000015
【図１５】
0004727369.tif 000016
【図１６】
0004727369.tif 000017
【図１７】
0004727369.tif 000018
【図１８】
0004727369.tif 000019
【図１９】
0004727369.tif 000020
【図２０】
0004727369.tif 000021